(57)【特許請求の範囲】
【請求項１】
建造物の各階床に設けられた呼び登録装置が有する呼び釦と第１特殊釦とが同時に操作されて、前記呼び釦により呼び登録された階床に着床したエレベータの乗りかごの開閉ドアが戸開した後に、前記乗りかご内の行先階登録装置が有する行先階釦と第２特殊釦とが同時に操作されると、
各階床の表示装置に前記行先階釦により登録された前記乗りかごの行先階を表示する通常運転モードから前記表示装置に前記行先階を表示することを規制する表示規制運転モードに切り替わる
ことを特徴とするエレベータの制御装置。
【請求項２】
前記呼び釦と前記第１特殊釦とが同時に操作されて、前記呼び釦により呼び登録された階床に着床した前記乗りかごの開閉ドアが戸開した後に、所定時間内に前記行先階釦と前記第２特殊釦とが同時に操作されると前記通常運転モードから前記表示規制運転モードに切り替わり、前記所定時間内に前記行先階釦と前記第２特殊釦とが同時に操作されないと前記通常運転モードを維持する
ことを特徴とする請求項１記載のエレベータの制御装置。
【請求項３】
前記表示規制運転モードでは、前記表示装置を無表示、又は、前記行先階と無関係の特定の情報を表示する
ことを特徴とする請求項１又は請求項２記載のエレベータの制御装置。
【請求項４】
前記表示規制運転モードでは、前記行先階釦により登録された前記行先階に前記乗りかごが着床するまでの間、前記呼び登録装置の前記呼び釦による呼び登録を保留する
ことを特徴とする請求項１から請求項３のうちいずれか一項に記載のエレベータの制御装置。
【請求項５】
前記表示規制運転モード中に前記呼び登録装置の前記呼び釦により呼び登録がされた場合には、前記呼び登録がされた階床に前記乗りかごが着床すると、前記表示規制運転モードから前記通常運転モードに切り替わり、
前記表示規制運転モード中に前記呼び登録装置の前記呼び釦により呼び登録がされていない場合には、複数の階床のうち予め定められた一つの基準階床に前記乗りかごが着床すると、前記表示規制運転モードから前記通常運転モードに切り替わる
ことを特徴とする請求項４記載のエレベータの制御装置。
【請求項６】
前記建造物に設置された複数のエレベータのうちの予め定められた一以上のエレベータが前記通常運転モードと前記表示規制運転モードとを切り替え可能であり、
前記呼び釦と前記第１特殊釦とが同時に操作されると、前記予め定められた一以上のエレベータの乗りかごを前記呼び釦による呼び登録に応答させる
ことを特徴とする請求項１から請求項５のうちいずれか一項に記載のエレベータの制御装置。
【請求項７】
建造物の各階床に設けられた呼び登録装置の呼び釦と第１特殊釦とが同時に操作される手順と、
前記呼び釦により呼び登録された階床に着床したエレベータの乗りかごの開閉ドアが戸開した後に、前記乗りかご内の行先階登録装置の行先階釦と第２特殊釦とが同時に操作される手順と、
各階床の表示装置に前記行先階釦により登録された前記乗りかごの行先階を表示する通常運転モードから前記表示装置に前記行先階を表示することを規制する表示規制運転モードに切り替わる手順と、を含む
ことを特徴とするエレベータの運転モードの切替方法。
【発明の詳細な説明】
【技術分野】
【０００１】
本発明の実施形態は、エレベータの制御装置及びエレベータの運転モードの切替方法に関する。
【背景技術】
【０００２】
従来、エレベータは、各階床に設けられた呼び登録装置の呼び釦の操作による呼び登録、及び、乗りかご内に設けられた行先階登録装置の行先階釦の操作による行先階登録などに基づいて、乗客などを建造物の所望の階床に運搬する。
【先行技術文献】
【特許文献】
【０００３】
【特許文献１】特開２００３−２０１０７５号公報
【特許文献２】特開平０５−１３９６４１号公報
【発明の概要】
【発明が解決しようとする課題】
【０００４】
ところで、従来技術においては、乗りかご内の乗客の行先階釦の操作により登録された行先階を、第三者に知られたくない運転モードに簡単に切り替えられることが望まれている。
【０００５】
したがって、本発明が解決しようとする課題は、行先階を第三者に知られたくない運転モードに簡単に切り替えることを可能とするエレベータの制御装置及びエレベータの運転モードの切替方法を提供することにある。
【課題を解決するための手段】
【０００６】
実施形態のエレベータの制御装置は、呼び登録装置の呼び釦と第１特殊釦とが同時に操作される。呼び釦により呼び登録された階床に着床したエレベータの乗りかごの開閉ドアが戸開した後に、乗りかご内の行先階登録装置が有する行先階釦と第２特殊釦とが同時に操作される。すると、エレベータの制御装置は、通常運転モードから表示規制運転モードに切り替わる。通常運転モードでは、各階床の表示装置に行先階釦により登録された乗りかごの行先階を表示する。表示規制運転モードでは、表示装置に行先階を表示することを規制する。
【図面の簡単な説明】
【０００７】
【図１】図１は、実施形態に係るエレベータの制御装置が設けられるエレベータの全体の構成を模式的に示す説明図である。
【図２】図２は、実施形態に係るエレベータの行先階登録装置の正面図である。
【図３】図３は、実施形態に係るエレベータの呼び登録装置の正面図である。
【図４】図４は、実施形態に係るエレベータの制御装置の制御内容の一例を示すフローチャートである。
【図５】図５は、実施形態の変形例に係るエレベータの制御装置が設けられるエレベータの全体の構成を模式的に示す説明図である。
【発明を実施するための形態】
【０００８】
［実施形態］
本発明の実施形態に係るエレベータの制御装置を図面に基いて説明する。図１は、実施形態に係るエレベータの制御装置が設けられるエレベータの全体の構成を模式的に示す説明図、図２は、実施形態に係るエレベータの行先階登録装置の正面図、図３は、実施形態に係るエレベータの呼び登録装置の正面図である。
【０００９】
実施形態に係るエレベータの制御装置１（図１に示し、以下、単に制御装置と記す）は、図１に示されたエレベータ１０１の運転モードを切り替えて、エレベータ１０１の運転を制御する。エレベータ１０１は、建造物（建築物ともいう）の昇降路内に設置されて、乗りかご１０３内の行先階登録装置１０５（図２に示す）の操作による行先階登録及び各階床１１０に設けられた呼び登録装置１０２（図３に示す）の操作による呼び登録に基づいて乗客などを建造物の所望の階床１１０に運搬する。
【００１０】
エレベータ１０１は、図１に示すように、呼び登録装置１０２と、乗りかご１０３と、カウンタウェイト１０４と、駆動機構１０７などを備えている。
【００１１】
呼び登録装置１０２は、建造物の各階床１１０に一つ設けられている。呼び登録装置１０２は、制御装置１に呼び登録を行い、乗りかご１０３を呼び登録に対応する階床１１０に着床させた後、戸開させるためのものである。
【００１２】
呼び登録装置１０２は、図３に示すように、表示装置１１１と、アップ登録釦（呼び釦に相当）１１２と、第１特殊釦１１３と、ダウン登録釦（呼び釦に相当）１１４とを有している。表示装置１１１は、乗りかご１０３の昇降路内の位置、乗りかご１０３が現在位置する階床１１０、乗りかご１０３の行先階などの各種の情報を表示する。表示装置１１１は、呼び登録装置１０２に備えられることで、各階床１１０に設けられている。アップ登録釦１１２と、第１特殊釦１１３と、ダウン登録釦１１４とは、表示装置１１１の下方に一つずつ設けられている。また、アップ登録釦１１２と第１特殊釦１１３とダウン登録釦１１４とは、上から順に並べられている。
【００１３】
アップ登録釦１１２は、呼び登録装置１０２が設けられた階床１１０よりも上の階床１１０へ移動したい旨の呼び登録を制御装置１にするものである。アップ登録釦１１２は、各階床１１０の乗り場に位置する乗客が、上の階床１１０へ移動する際に押下操作する。ダウン登録釦１１４は、呼び登録装置１０２が設けられた階床１１０よりも下の階床１１０へ移動したい旨の呼び登録を制御装置１にするものである。ダウン登録釦１１４は、各階床１１０の乗り場に位置する乗客が、下の階床１１０へ移動する際に押下操作する。第１特殊釦１１３は、登録釦１１２，１１４と組み合わせて押下操作されることで、制御装置１にエレベータ１０１の運転モードを切り替えさせるものである。なお、登録釦１１２，１１４及び第１特殊釦１１３が押下されたことを示す釦オン信号は、制御装置１に出力される。
【００１４】
乗りかご１０３は、図示しないかご用ガイドレールにより、鉛直方向に昇降自在に支持されている。乗りかご１０３は、乗客を収容するかご室を備えている。かご室は、箱状に形成されて、内側に乗客などを収容可能である。かご室には、乗客を出入り自在とする開閉ドア１０３ａが一以上設けられている。また、かご室内には、図２に示された行先階登録装置１０５が設けられている。
【００１５】
行先階登録装置１０５は、乗りかご１０３のかご室内に一つ設けられている。行先階登録装置１０５は、制御装置１に行先階を登録し、乗りかご１０３を行先階の階床１１０に着床させた後、戸開させるためのものである。
【００１６】
行先階登録装置１０５は、図２に示すように、表示装置１１６と、開閉ドア１０３ａを戸開させるための戸開釦１１７と、開閉ドア１０３ａを戸閉させるための戸閉釦１１８などを有している。表示装置１１６は、乗りかご１０３の昇降路内の位置、乗りかご１０３が現在位置する階床１１０、乗りかご１０３の行先階を表示する。戸開釦１１７は、乗りかご１０３内の乗客が開閉ドア１０３ａを戸開させる又は開閉ドア１０３ａを戸開させる時間を延ばす際に押下操作する。戸閉釦１１８は、乗りかご１０３内の乗客が開閉ドア１０３ａを戸閉させる際に押下操作する。戸開釦１１７及び戸閉釦１１８は、表示装置１１６の下方に水平方向に並べられている。
【００１７】
また、行先階登録装置１０５は、各階床１１０と１対１の関係で対応した行先階釦１１９と、行先階釦１１９と１対１の関係で対応した第２特殊釦１２０とを備えている。行先階釦１１９は、行先階の階床１１０を制御装置１に登録するものである。行先階釦１１９は、乗りかご１０３内の乗客が、移動したい階床１１０に対応したものを押下操作する。行先階釦１１９は、戸閉釦１１８の下方に、上の階床１１０に対応するものから順に設けられている。第２特殊釦１２０は、戸開釦１１７の下方に設けられ、対応する行先階釦１１９と水平方向に並べられている。第２特殊釦１２０は、行先階釦１１９と組み合わせて押下操作されることで、制御装置１にエレベータ１０１の運転モードを切り替えさせるものである。なお、行先階釦１１９及び第２特殊釦１２０が押下されたことを示す釦オン信号は、制御装置１に出力される。
【００１８】
カウンタウェイト１０４は、図示しないウェイト用ガイドレールにより、鉛直方向に移動自在に支持されている。また、乗りかご１０３には、メインロープ１０６の一端部が取り付けられ、カウンタウェイト１０４には、メインロープ１０６の他端部が取り付けられている。メインロープ１０６は、駆動機構１０７の駆動シーブ１２１に掛渡されて、乗りかご１０３とカウンタウェイト１０４とが互いに上下反対方向に昇降するように設けられている。即ち、エレベータ１０１は、所謂、釣瓶式のエレベータとなっている。このように、メインロープ１０６は、駆動機構１０７の巻き上げ機により移動されることで、乗りかご１０３とカウンタウェイト１０４とを釣瓶式に昇降させる。
【００１９】
駆動機構１０７は、図１に示すように、例えば、昇降路の上部に設けられた機械室又は昇降路内の上部などに設けられ、周知の巻き上げ機と、メインロープ１０６が掛け渡されて巻き上げ機により回転駆動される駆動シーブ１２１などを備えている。駆動機構１０７は、巻き上げ機が駆動シーブ１２１を回転駆動することにより、メインロープ１０６を昇降路内で移動させて、乗りかご１０３とカウンタウェイト１０４を昇降させる。
【００２０】
制御装置１は、例えば、昇降路内などに設けられる機器であって、図示しないＲＡＭ、ＲＯＭ、ＣＰＵ、入出力ポート及び記憶装置を備えた演算装置である。制御装置１は、乗りかご１０３の行先階登録装置１０５や、各階床１１０に設けられた呼び登録装置１０２、駆動機構１０７などに接続して、エレベータ１０１全体の運転制御を行う。
【００２１】
また、制御装置１は、エレベータ１０１の運転モードとしての通常運転モードと表示規制運転モードとが切り替わる。制御装置１は、通常運転モードでは、乗りかご１０３の行先階登録装置１０５の行先階釦１１９の操作により登録された行先階、各階床１１０に設けられた呼び登録装置１０２の登録釦１１２，１１４の操作による呼び登録に基いて、乗りかご１０３を移動、着床、戸開、戸閉させる。制御装置１は、通常運転モードでは、各階床１１０の呼び登録装置１０２の表示装置１１１に乗りかご１０３の現在位置や行先階釦１１９により登録された乗りかご１０３の行先階などを表示させる。
【００２２】
制御装置１は、表示規制運転モードでは、乗りかご１０３の行先階登録装置１０５の行先階釦１１９の操作により登録された行先階に基いて、乗りかご１０３を移動、着床、戸開、戸閉させる。制御装置１は、表示規制運転モードでは、各階床１１０の呼び登録装置１０２の登録釦１１２，１１４の操作による呼び登録を保留し、呼び登録に応答しない。また、制御装置１は、表示規制運転モードでは、各階床１１０の呼び登録装置１０２の表示装置１１１に乗りかご１０３の現在位置や行先階釦１１９により登録された乗りかご１０３の行先階などを表示させない。即ち、制御装置１は、表示規制運転モードでは、各階床１１０の呼び登録装置１０２の表示装置１１１に行先階釦１１９により登録された乗りかご１０３の行先階を表示することを規制する。
【００２３】
次に、制御装置１のエレベータ１０１を制御するフローチャートの一例を図４を参照して説明する。図４は、実施形態に係るエレベータの制御装置の制御内容の一例を示すフローチャートである。なお、図４に一例が示されたフローチャートは、制御装置１により繰り返し実行される。
【００２４】
まず、制御装置１は、通常運転モードとされている。制御装置１は、各階床１１０に設けられた呼び登録装置１０２の登録釦１１２，１１４のいずれかが押下されたことを示す釦オン信号を受信する（ステップＳＴ１）。ステップＳＴ１では、制御装置１は、各階床１１０に設けられた呼び登録装置１０２のいずれかにより呼び登録される。すると、制御装置１は、呼び登録が、登録釦１１２，１１４のいずれかと第１特殊釦１１３とが同時に押下操作されたことにより登録された、特殊呼び登録であるか否かを判定する（ステップＳＴ２）。具体的には、制御装置１は、登録釦１１２，１１４のいずれかと第１特殊釦１１３の釦オン信号が同時に入力したか否かを判定する。制御装置１は、登録釦１１２，１１４のいずれかと第１特殊釦１１３の釦オン信号が同時に入力していないと判定すると、特殊呼び登録でないと判定し（ステップＳＴ２：Ｎｏ）、通常運転モードを維持する（ステップＳＴ２０）。
【００２５】
制御装置１は、登録釦１１２，１１４のいずれかと第１特殊釦１１３の釦オン信号が同時に入力したと判定すると、特殊呼び登録であると判定し（ステップＳＴ２：Ｙｅｓ）、呼び登録された階床１１０に向けて乗りかご１０３を昇降させる。制御装置１は、呼び登録された階床１１０に乗りかご１０３を着床させ、開閉ドア１０３ａを戸開させる（ステップＳＴ３）。すると、乗りかご１０３内に乗客が乗り込む。そして、制御装置１は、開閉ドア１０３ａが戸開した後に、所定時間内にいずれかの行先階釦１１９が押下操作されたか否か、即ち、行先階登録が有ったか否かを判定する（ステップＳＴ４）。具体的には、制御装置１は、所定時間内にいずれかの行先階釦１１９の釦オン信号が入力したか否かを判定する。制御装置１は、所定時間内にいずれかの行先階釦１１９の釦オン信号が入力していないと判定すると、行先階登録がなかったと判定し（ステップＳＴ４：Ｎｏ）、通常運転モードを維持する（ステップＳＴ２０）。
【００２６】
制御装置１は、所定時間内にいずれかの行先階釦１１９の釦オン信号が入力したと判定すると、行先階登録が有ったと判定し（ステップＳＴ４：Ｙｅｓ）、行先階登録が、いずれかの行先階釦１１９と当該行先階釦１１９に対応する第２特殊釦１２０とが同時に押下操作されたことにより登録された、特殊行先階登録であるか否かを判定する（ステップＳＴ５）。具体的には、制御装置１は、いずれかの行先階釦１１９と第２特殊釦１２０の釦オン信号が同時に入力したか否かを判定する。制御装置１は、いずれかの行先階釦１１９と第２特殊釦１２０の釦オン信号が同時に入力していないと判定すると、特殊行先階登録でないと判定し（ステップＳＴ５：Ｎｏ）、通常運転モードを維持する（ステップＳＴ２０）。即ち、制御装置１は、開閉ドア１０３ａが戸開した後に、所定時間内に行先階釦１１９と第２特殊釦１２０とが同時に押下操作されないと、通常運転モードを維持する。
【００２７】
制御装置１は、いずれかの行先階釦１１９と第２特殊釦１２０の釦オン信号が同時に入力したと判定すると、特殊行先階登録であると判定し（ステップＳＴ５：Ｙｅｓ）、通常運転モードから表示規制運転モードに切り替わる（ステップＳＴ６）。即ち、制御装置１は、開閉ドア１０３ａが戸開した後に、所定時間内に行先階釦１１９と第２特殊釦１２０とが同時に押下操作されると、通常運転モードから表示規制運転モードに切り替わる。表示規制運転モードでは、制御装置１は、各階床１１０に設けられた全ての呼び登録装置１０２の表示装置１１１を無表示とする。即ち、ステップＳＴ６では、制御装置１は、各階床１１０に設けられた全ての呼び登録装置１０２の表示装置１１１に何も表示させない。また、本発明では、表示規制運転モードでは、制御装置１は、各階床１１０に設けられた全ての呼び登録装置１０２の表示装置１１１に、例えば、「表示規制運転モード実行中」などの乗りかご１０３の現在位置や登録された行先階と無関係の特定の情報を表示しても良い。
【００２８】
そして、制御装置１は、登録された行先階の階床１１０へ乗りかご１０３を移動（昇降）させる（ステップＳＴ７）。制御装置１は、乗りかご１０３を登録された行先階の階床１１０に着床させ、開閉ドア１０３ａを戸開させる（ステップＳＴ８）。なお、制御装置１は、ステップＳＴ６からステップＳＴ８の間、呼び登録装置１０２の登録釦１１２，１１４により呼び登録されても、登録された呼び登録を保留する。即ち、制御装置１は、表示規制運転モードでは、行先階釦１１９により登録された行先階の階床１１０に乗りかご１０３が着床、戸開するまでの間、呼び登録に応答しない。このように、制御装置１は、表示規制運転モードでは、少なくとも行先階釦１１９により登録された行先階の階床１１０に乗りかご１０３が着床するまでの間、呼び登録装置１０２の登録釦１１２，１１４による呼び登録を保留する。
【００２９】
そして、登録された行先階において、乗客が乗りかご１０３から降りる。制御装置１は、戸開釦１１７が操作されずに戸開釦１１７の釦オン信号が入力せずに所定の時間などが経過すると、開閉ドア１０３ａを戸閉する（ステップＳＴ９）。制御装置１は、呼び登録装置１０２の登録釦１１２，１１４の押下操作により、呼び登録がされているか否かを判定する（ステップＳＴ１０）。具体的には、制御装置１は、呼び登録装置１０２の登録釦１１２，１１４の釦オン信号が入力したか否かを判定する。制御装置１は、呼び登録装置１０２の登録釦１１２，１１４の釦オン信号が入力していないと判定すると、呼び登録がされていないと判定し（ステップＳＴ１０：Ｎｏ）、乗りかご１０３を例えば地表面等の基準階床へ移動、着床、戸開（ステップＳＴ１５）させた後、表示規制運転モードから通常運転モードへ切り替わる（ステップＳＴ３０）。このように、制御装置１は、表示規制運転モード中に呼び登録装置１０２の登録釦１１２，１１４により呼び登録がされていない場合には、複数の階床１１０のうち予め定められた一つの基準階床に乗りかご１０３が着床、戸開すると、表示規制運転モードから通常運転モードに切り替わる。
【００３０】
制御装置１は、呼び登録装置１０２の登録釦１１２，１１４の釦オン信号が入力したと判定すると、呼び登録がされていると判定し（ステップＳＴ１０：Ｙｅｓ）、呼び登録が、登録釦１１２，１１４のいずれかと第１特殊釦１１３とが同時に押下操作されたことにより登録された、特殊呼び登録であるか否かを判定する（ステップＳＴ１１）。制御装置１は、特殊呼び登録でないと判定する（ステップＳＴ１１：Ｎｏ）と、乗りかご１０３を呼び登録がされた階床１１０へ移動、着床、戸開（ステップＳＴ１６）させた後、表示規制運転モードから通常運転モードへ切り替わる（ステップＳＴ３０）。
【００３１】
制御装置１は、特殊呼び登録であると判定する（ステップＳＴ１１：Ｙｅｓ）と、呼び登録がされた階床１１０に乗りかご１０３を着床させ、開閉ドア１０３ａを戸開させる（ステップＳＴ１２）。そして、制御装置１は、乗りかご１０３内に乗客が乗り込み、開閉ドア１０３ａが戸開した後に、所定時間内にいずれかの行先階釦１１９が押下操作されたか否か、即ち、行先階登録が有ったか否かを判定する（ステップＳＴ１３）。具体的には、制御装置１は、所定時間内にいずれかの行先階釦１１９の釦オン信号が入力したか否かを判定する。制御装置１は、所定時間内にいずれかの行先階釦１１９の釦オン信号が入力しなかったと判定すると、行先階登録がなかったと判定し（ステップＳＴ１３：Ｎｏ）、表示規制運転モードから通常運転モードへ切り替わる（ステップＳＴ３０）。
【００３２】
制御装置１は、所定時間内にいずれかの行先階釦１１９の釦オン信号が入力したと判定すると、行先階登録が有ったと判定し（ステップＳＴ１３：Ｙｅｓ）、行先階登録が、いずれかの行先階釦１１９と当該行先階釦１１９に対応する第２特殊釦１２０とが同時に押下操作されたことにより登録された、特殊行先階登録であるか否かを判定する（ステップＳＴ１４）。制御装置１は、特殊行先階登録でないと判定する（ステップＳＴ１４：Ｎｏ）と、表示規制運転モードから通常運転モードへ切り替わる（ステップＳＴ３０）。制御装置１は、特殊行先階登録であると判定する（ステップＳＴ１４：Ｙｅｓ）と、ステップＳＴ７に戻る。このように、制御装置１は、表示規制運転モード中に呼び登録装置１０２の登録釦１１２，１１４により呼び登録（特殊呼び登録ではない）がされた場合には、呼び登録がされた階床１１０に乗りかご１０３が着床、戸開すると、表示規制運転モードから通常運転モードに切り替わる。
【００３３】
このように、制御装置１は、登録釦１１２，１１４と第１特殊釦１１３とが同時に操作される手順と、呼び登録された階床１１０に着床した乗りかご１０３が戸開した後に、行先階釦１１９と第２特殊釦１２０とが同時に操作される手順と、通常運転モードから表示規制運転モードに切り替わる手順とを含んだエレベータの運転モードの切替方法を実行する。
【００３４】
実施形態に係る制御装置１によれば、登録釦１１２，１１４と第１特殊釦１１３とが同時に押下操作されて、呼び登録された階床１１０に着床した乗りかご１０３が戸開した後に、行先階釦１１９と第２特殊釦１２０とが同時に押下操作される特定の操作がされる。すると、制御装置１は、表示規制運転モードに切り替わり、表示装置１１１に行先階などを表示させないとともに、呼び登録に応答しない。したがって、制御装置１は、前述した特定の操作により、専用の鍵などを用いることなく、乗りかご１０３内の乗客の行先階を第三者に知られたくない表示規制運転モードに簡単に切り替えることを可能とすることができる。よって、制御装置１は、表示規制運転モードでは、乗りかご１０３内の乗客の行先階が各階床１１０にいる第三者に知られることを抑制できる。さらに、制御装置１は、表示規制運転モードでは、呼び登録に応答しないので、乗りかご１０３に第三者が乗ってくることを抑制できる。さらに、制御装置１は、登録釦１１２，１１４と第１特殊釦１１３とが同時に押下操作され、行先階釦１１９と第２特殊釦１２０とが同時に押下操作されると表示規制運転モードに切り替わる。したがって、登録釦１１２，１１４と第１特殊釦１１３とを同時に押下操作した後に、第三者と乗りかご１０３に乗り合わせた場合に、第２特殊釦１２０を押下操作しないことで、当該第三者に行先階が知られることを抑制することができる。
【００３５】
また、制御装置１は、通常運転モードでは、乗りかご１０３内に多数の乗客を収容して、乗客を所望の階床に移動させることができる。制御装置１は、表示規制運転モードでは、乗客の行先階を第三者に知られることを抑制できる。したがって、制御装置１は、運転効率の低下を抑制しながらも、乗客のプラバシーを保護することができる。さらに、制御装置１は、表示規制運転モード中に呼び登録装置１０２の登録釦１１２，１１４により次の呼び登録がされていない場合には、基準階床に乗りかご１０３が着床、戸開した後に、表示規制運転モードから通常運転モードに切り替わる。したがって、制御装置１は、表示規制運転モードでは、乗りかご１０３内の乗客の行先階が各階床１１０にいる第三者に知られることを確実に抑制できる。
【００３６】
［変形例］
本発明の実施形態の変形例に係るエレベータの制御装置を図面に基いて説明する。図５は、実施形態の変形例に係るエレベータの制御装置が設けられるエレベータの全体の構成を模式的に示す説明図である。なお、図５において、実施形態と同一部分には、同一符号を付して説明を省略する。
【００３７】
変形例では、制御装置１は、建造物に設置された複数のエレベータ１０１の運転を制御するものである。制御装置１は、実施形態に記載された制御に加え、複数のエレベータ１０１の群管理制御を実行する。群管理制御とは、具体的には、複数のエレベータ１０１の呼び登録装置１０２のうちいずれかから呼び登録がされた場合、呼び登録に応答する最適なエレベータ１０１の乗りかご１０３を割り当てることをいう。制御装置１は、複数のエレベータ１０１の乗りかご１０３の運転を効率的に割り振り、複数のエレベータ１０１全体として効率的な運転サービスを行う。
【００３８】
また、変形例では、制御装置１が通常運転モードから表示規制運転モードに切り替わると、複数のエレベータ１０１のうち予め定められた一以上のエレベータ１０１のみ表示規制運転モードで運転させ、残りのエレベータ１０１を通常運転モードで運転させる。即ち、変形例では、予め定められた一以上のエレベータ１０１が通常運転モードと表示規制運転モードとを切り替え可能である。したがって、変形例では、予め定められた表示規制運転モードで運転される一以上のエレベータ１０１の行先階登録装置１０５には、第２特殊釦１２０が設けられている。変形例では、通常運転モードのみで運転されるエレベータ１０１の行先階登録装置１０５には、第２特殊釦１２０が設けられていない。
【００３９】
変形例の制御装置１は、登録釦１１２，１１４と第１特殊釦１１３とが同時に押下操作されると、予め定められた一以上のエレベータ１０１の乗りかご１０３を登録釦１１２，１１４による呼び登録に応答させる。そして、制御装置１は、予め定められた一以上のエレベータ１０１の乗りかご１０３を登録釦１１２，１１４により呼び登録された階床１１０に着床させる。この際、表示規制運転モードで運転されるエレベータ１０１が一つのみである場合には、この表示規制運転モードで運転されるエレベータ１０１の乗りかご１０３を登録釦１１２，１１４により呼び登録された階床１１０に着床させる。表示規制運転モードで運転されるエレベータ１０１が複数である場合には、これらの表示規制運転モードで運転されるエレベータ１０１のうちのいずれかの乗りかご１０３を登録釦１１２，１１４により呼び登録された階床１１０に着床させる。
【００４０】
そして、変形例の制御装置１は、登録釦１１２，１１４による呼び登録に応答させた乗りかご１０３の開閉ドア１０３ａが戸開した後に、乗りかご１０３内の行先階登録装置１０５が有する行先階釦１１９と第２特殊釦１２０とが同時に押下操作されると、表示規制運転モードに切り替わる。変形例の制御装置１は、表示規制運転モードに切り替わると、乗りかご１０３内の行先階釦１１９と第２特殊釦１２０とが同時に押下操作されたエレベータ１０１を、群管理制御から切り離して、実施形態と同様に表示規制運転モードで運転させる。また、変形例の制御装置１は、残りのエレベータ１０１の群管理制御を実行する。また、変形例では、制御装置１は、通常運転モードでは、全てのエレベータ１０１の群管理制御を実行する。
【００４１】
変形例の制御装置１によれば、前述した実施形態の効果に加えて、予め定められた一以上のエレベータ１０１のみ表示規制運転モードで運転することが可能であるので、第２特殊釦１２０を全てのエレベータ１０１の乗りかご１０３に設ける必要がない。したがって、コストの高騰を抑制することができる。また、予め定められたエレベータ１０１のみ表示規制運転モードで運転することが可能であるので、予め予想した運転効率に近い状態で、複数のエレベータ１０１を運転させることが可能となる。
【００４２】
前述した実施形態及び変形例では、呼び登録装置１０２に第１特殊釦１１３を設け、行先階登録装置１０５に第２特殊釦１２０を設けている。呼び登録装置１０２の登録釦１１２，１１４と第１特殊釦１１３とが同時に操作されて、行先階登録装置１０５の行先階釦１１９と第２特殊釦１２０とが同時に操作されると、表示規制運転モードに切り替わる。しかしながら、呼び登録装置１０２に第１特殊釦１１３を設けずに、行先階登録装置１０５に第２特殊釦１２０を設け無くても良い。この場合、呼び登録装置１０２の登録釦１１２，１１４を所定回数押下操作したり、長く押下操作したり、行先階登録装置１０５の行先階釦１１９を所定回数押下操作したり、長く押下操作して、表示規制運転モードに切り替わるようにしても良い。
【００４３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４４】
１  エレベータの制御装置
１０１  エレベータ
１０２  呼び登録装置
１０３  乗りかご
１０５  行先階登録装置
１１０  階床
１１１  表示装置
１１２  アップ登録釦（呼び釦）
１１３  第１特殊釦
１１４  ダウン登録釦（呼び釦）
１１９  行先階釦
１２０  第２特殊釦
【要約】
【課題】行先階を第三者に知られたくない運転モードに簡単に切り替えることを可能とするエレベータの制御装置を提供する。
【解決手段】実施形態のエレベータの制御装置は、呼び登録装置の呼び釦と第１特殊釦とが同時に操作される。呼び釦により呼び登録された階床に着床したエレベータの乗りかごの開閉ドアが戸開した後に、乗りかご内の行先階登録装置が有する行先階釦と第２特殊釦とが同時に操作される。すると、エレベータの制御装置は、通常運転モードから表示規制運転モードに切り替わる。通常運転モードでは、各階床の表示装置に行先階釦により登録された乗りかごの行先階を表示する。表示規制運転モードでは、表示装置に行先階を表示することを規制する。
【選択図】図４【図１】
0005623608.tif 000002
【図２】
0005623608.tif 000003
【図３】
0005623608.tif 000004
【図４】
0005623608.tif 000005
【図５】
0005623608.tif 000006